(57)【特許請求の範囲】
【請求項１】
掘削土砂の排土口を有する中空杭圧入装置に排土処理ホッパーを取り外し自在に掛け止めする中掘工法用排土処理装置において、前記中空杭圧入装置の排土口側面の左右に、上下方向のガイド溝を有するガイド部材をそれぞれ固設し、各ガイド部材に、前記排土処理ホッパーの係合用フックを掛け止めする係合ピンと、前記係合用フックに形成されたピン孔に挿入される抜け止めピンと、該抜け止めピンを抜き差しする進退機構とを設け、各ガイド部材の下方に前記排土処理ホッパーの横揺れ防止ピンを突設し、前記排土処理ホッパーには、係合用フックに前記係合ピンに係合するガイド溝を下方が拡開するテーパ状に形成するとともに、前記横揺れ防止ピンに係合するピン孔を形成したブラケットを固設したことを特徴とする中掘工法用排土処理装置。
【請求項２】
前記進退機構は、遠隔操作が可能であることを特徴とする請求項１記載の中掘工法用排土処理装置。
【発明の詳細な説明】
【０００１】
【発明の属する技術分野】
本発明は、中掘工法における排出土砂の処理装置に関する。
【０００２】
【従来の技術】
中空杭の内部をオーガスクリューで掘削しながら中空杭を地中に圧入する中掘工法では、オーガスクリューで連続掘削された土砂が杭頭部より直接地上に落下、飛散し、周辺環境を汚す問題がある。このため、実公昭６３−９６７２号公報に示されるように、掘削土砂の排土口を有する中空杭圧入装置に取り外し自在に掛け止めされる排土処理ホッパーに、中空杭圧入装置のガイド溝に挿入されるガイド片を設け、排土処理ホッパーを吊り上げて中空杭圧入装置に掛け止めし、排土処理ホッパーが掘削土で満杯になると、排土処理ホッパーを吊り上げて地上に降ろし、地上に設置された貯留槽、あるいは排土運搬車に移すものがある。
【０００３】
【発明が解決しようとする課題】
ところが、上述の構造では、排土処理ホッパーをほぼ垂直にしないと、ガイド片をガイド溝に挿入できないので、排土処理ホッパーを吊るワイヤロープの２本吊りが必要になったり、高所でのガイド片とガイド溝の位置合わせが困難であった。また、ガイド溝にガイド片を係合させるだけなので、掘削時の振動でガイド片の係合が外れる虞がある。また、ガイド片の係合が外れないようにガイド溝を深くすると、排土処理ホッパーの着脱作業に時間を要していた。
【０００４】
そこで本発明は、排土処理ホッパーの着脱作業を容易にした中掘工法用排土処理装置を提供することを目的としている。
【０００５】
【課題を解決するための手段】
上記した目的を達成するため、本発明は、掘削土砂の排土口を有する中空杭圧入装置に排土処理ホッパーを取り外し自在に掛け止めする中掘工法用排土処理装置において、前記中空杭圧入装置の排土口側面の左右に、上下方向のガイド溝を有するガイド部材をそれぞれ固設し、各ガイド部材に、前記排土処理ホッパーの係合用フックを掛け止めする係合ピンと、前記係合用フックに形成されたピン孔に挿入される抜け止めピンと、該抜け止めピンを抜き差しする進退機構とを設け、各ガイド部材の下方に前記排土処理ホッパーの横揺れ防止ピンを突設し、前記排土処理ホッパーには、係合用フックに前記係合ピンに係合するガイド溝を下方が拡開するテーパ状に形成するとともに、前記横揺れ防止ピンに係合するピン孔を形成したブラケットを固設したことを特徴とし、前記進退機構は、遠隔操作が可能であることが好ましい。
【０００６】
【発明の実施の形態】
以下、本発明を図面に示される実施形態例に基づいて説明する。杭打機１は、ベースマシン２のリーダブラケット３に立設したリーダ４に掘削ロッド５の回転駆動装置６を昇降自在に備え、該回転駆動装置６の下部に中空杭圧入装置７を設け、該中空杭圧入装置７の本体下部に設けた杭キャップ８を介して中空杭９を連結している。
【０００７】
また、中空杭圧入装置７は、掘削土砂の排土口１０を本体上部に有し、該排土口１０の前面に排土処理ホッパー１１を取り外し自在に掛け止めしている。前記排土口１０側面の左右に設けられた中空杭圧入装置７の上部フレーム１２には、前記排土口１０側面の左右に、上下方向のガイド溝１３を有するガイド部材１４がそれぞれ固設され、各ガイド溝１３の略中間部に前記排土処理ホッパー１１の係合用フック１５，１５を掛け止めする係合ピン１６がそれぞれ設けられている。各係合ピン１６の上部には、前記係合用フック１５に形成されたピン孔１５ａに挿入される抜け止めピン１７が進退可能にそれぞれ設けられている。また、前記各ガイド部材１４の下方に排土処理ホッパー１１の横揺れ防止ピン１８が上方へ向けてそれぞれ突設されている。
【０００８】
前記抜け止めピン１７は、ガイド部材１４側部に設けられたシリンダ１９にて進退する。すなわち、抜け止めピン１７は、ガイド部材１４側部のブラケット１４ａに回動可能に設けられたベルクランク２０の一端に設けられ、該ベルクランク２０の他端に接続されたシリンダ１９のロッド１９ａの伸縮で進退する。このシリンダ１９は、ベースマシン２の運転席からの遠隔操作により作動する。
【０００９】
前記排土処理ホッパー１１は、上部を開口した箱形に形成され、両側壁上部にクレーンにて吊持される際のワイヤロープ２１の係止部２２を有し、背面壁に前記排土口１０が挿入される挿入口を形成し、背面壁の上部に前記係合用フック１５，１５が固設され、該係合用フック１５，１５の下部に前記横揺れ防止ピン１８に係合するピン孔２２ａを形成したブラケット２２がそれぞれ固設されている。
【００１０】
前記係合用フック１５は、前記係合ピン１６に係合するガイド溝１５ｂが下方が拡開するテーパ状に形成され、該ガイド溝１５ｂの上部に前記抜け止めピン１７が挿入されるピン孔１５ａが形成されている。
【００１１】
この構成により、排土処理ホッパー１１を吊り上げて中空杭圧入装置７に掛け止めするときには、各係合用フック１５を各ガイド溝１５ｂに挿入して排土処理ホッパー１１を下げていくと、各係合用フック１５が各係合ピン１６に係合するとともに、前記ブラケット２２のピン孔２２ａに揺れ防止ピン１８が係合する。この際に、係合用フック１５のガイド溝１５ｂが下方が拡開するテーパ状に形成されているから、各係合用フック１５と各ガイド溝１３の係合ピン１６の中心が正確に合っていなくても、係合ピン１６への係合用フック１５の係合が容易に行える。また、係合用フック１５が係合ピン１６に係合したら、運転席からの遠隔操作でシリンダ１９を作動して抜け止めピン１７を係合用フック１５のピン孔１５ａに挿入することにより、該抜け止めピン１７と前記揺れ防止ピン１８の係合で、排土処理ホッパー１１が掘削時の振動によって中空杭圧入装置７から外れることがない。排土処理ホッパー１１を中空杭圧入装置７から取り外すときには、運転席からの遠隔操作でシリンダ１９を作動して抜け止めピン１７を係合用フック１５のピン孔１５ａから抜き、排土処理ホッパー１１を吊り上げるだけでよいから、排土処理ホッパー１１の着脱作業が高所作業を伴わずに容易にできる。
【００１２】
【発明の効果】
以上説明したように、本発明の中掘工法用排土処理装置は、中空杭圧入装置の排土口側面の左右に、上下方向のガイド溝を有するガイド部材をそれぞれ固設し、各ガイド部材に、排土処理ホッパーの係合用フックを掛け止めする係合ピンと、係合用フックに形成されたピン孔に挿入される抜け止めピンと、抜け止めピンを抜き差しする進退機構とを設け、各ガイド部材の下方に排土処理ホッパーの横揺れ防止ピンを突設し、排土処理ホッパーには、係合用フックに係合ピンに係合するガイド溝を下方が拡開するテーパ状に形成するとともに、横揺れ防止ピンに係合するピン孔を形成したブラケットを固設したので、排土処理ホッパーを吊り上げて中空杭圧入装置に掛け止めするときには、係合用フックとガイド溝の係合ピンの中心が正確に合っていなくても、係合ピンへの係合用フックの係合が容易に行える。また、抜け止めピンと揺れ防止ピンの係合で、排土処理ホッパーが掘削時の振動によって中空杭圧入装置から外れることがない。さらに、進退機構を遠隔操作可能とすることにより、排土処理ホッパーの着脱作業が高所作業を伴わずに容易にできる。
【図面の簡単な説明】
【図１】  中空杭圧入装置の正面図
【図２】  排土処理ホッパーと中空杭圧入装置の関係を示す側面図
【図３】  排土処理ホッパーを掛け止めした中空杭圧入装置の側面図
【図４】  排土処理ホッパーを掛け止めした中空杭圧入装置の平面図
【図５】  中掘工法用杭打機の側面図
【符号の説明】
１…杭打機、７…中空杭圧入装置、１０…排土口、１１…、排土処理ホッパー、１３…ガイド溝、１４…ガイド部材、１５…係合用フック、１５ａ…抜け止めピン孔、１５ｂ…係合用フックのガイド溝、１６…係合ピン、１７…抜け止めピン、１８…横揺れ防止ピン、１９…シリンダ、２２…排土処理ホッパーのブラケット
【図１】
0003696511.tif 000002
【図２】
0003696511.tif 000003
【図３】
0003696511.tif 000004
【図４】
0003696511.tif 000005
【図５】
0003696511.tif 000006